(57)【要約】【課題】  在来工法間知ブロック積の問題点を克服する為に製品の背面に裏板を設けた大型ブロックを提供することであり、また控え板のない大型ブロックのカーブ施工での隙間をなくす為に製品の両端部を凸と凹の噛み合せ構造にして、隙間の問題を解決した裏型付大型ブロックを提供することである。【解決手段】  裏型付大型ブロックは、大型ブロック積み擁壁の正面を構成する正面壁部と、正面壁部の裏側に連設された控え裏壁部とからなる。その為裏込コンクリート１０ｃｍ１５ｃｍともに胴込コンクリートを打設するだけで施工が完了する。またカーブ施工時においてブロック両端部が噛み合せ構造になっている為最大開き５ｃｍまでは前型枠なしで胴込コンクリートを打設できる為、飛躍的に施工性を向上させることができる。【選択図】図１
0003161765.tif 000002
【実用新案登録請求の範囲】
【請求項１】
本考案の裏型付大型ブロック第一の特徴は、図１で示すとおり大型ブロック積み擁壁の正面を構成する正面壁部▲１▼と、正面壁部の裏側に連設された控え裏壁部▲２▼とからなる裏型付大型ブロックである。控え長さについては４５ｃｍと５０ｃｍに対応したものであり在来工法間知ブロックで言えば、控え３５ｃｍ＋裏込コンクリート１０ｃｍと控え３５ｃｍ＋裏込コンクリート１５ｃｍに対応した製品である。
【請求項２】
本考案の裏型付大型ブロック第二の特徴は、図２の▲３▼▲４▼で示すとおり製品両端部が凸と凹の噛み合せ構造になっていることである。この噛み合せ部分は直線施工時には前面背面共にそのまま噛み合せて施工する。
曲線施工時は図４で示すとおりブロックの製品両端部の凸と凹の噛み合せ部分が外カーブ時、内カーブ時共に自在に噛み合うように対応しているので最大開き５ｃｍまでは前面と背面に型枠なしで施工することができるようになっている。
【請求項３】
また曲線半径Ｒが１０ｍ以下で小さいときは図３の▲５▼▲６▼で示すとおりブロック天端の突起部分とそのブロックの上に乗る上部ブロックの溝部が自由にスライドできるようになっている為ブロックとブロックの隙間を開けずに施工すること（追い込み施工  図６）ができる。
【考案の詳細な説明】
【技術分野】
【０００１】  本大型ブロックは在来工法間知ブロック積と控え板のない大型ブロックをより省力化する為に開発した工法である。
【背景技術】
【０００２】  在来工法間知ブロック積又は控え板のない大型ブロックは裏板がない為コンクリート打設時裏板（抜き型枠）を設置しなければならない。その為施工に手間がかかり、抜き型枠施工時において法勾配が狂う恐れもある。【０００３】  在来工法間知ブロック積は高さにおいて一段毎に施工しなければならないので控え板のない大型ブロックが開発された経緯があるが、間知ブロックの大型化で施工速度は改善されたものの、依然大型の裏型枠を設置しなければならず、その施工の煩雑さが問題となっている。【０００４】  また製品の背後に裏込コンクリート（１０ｃｍか１５ｃｍ）を打設する場合、製品と裏型枠の隙間を鉄筋等で裏型枠を固定する作業も追加され適切な厚みを確保する為に手間が掛かっている。この解決策として特許文献  特開２００８−２１４９７６でも金具等で固定する方法が提案されている。【０００５】  カーブ施工時において在来工法間知ブロック積は製品自体が小さいので特に問題ないが控え板のない大型ブロックはカーブ施工した場合製品と製品の間に隙間が発生し、その隙間を塞がないとコンクリートが漏れるのでコンクリート打設前に、小型の型枠を製品前面に設置しなければならない。
【考案の概要】
【考案が解決しようとする課題】
【０００６】  本考案の課題は、在来工法間知ブロック積の問題点を克服する為に製品の背面に裏板を設けた大型ブロックを提供することであり、また控え板のない大型ブロックの問題点、カーブ施工での隙間をなくす為に製品の両端部を凸と凹の噛み合せ構造にして、隙間の問題を解決した裏型付大型ブロックを提供することである。
【課題を解決するための手段】
【０００７】  本考案の裏型付大型ブロックは、大型ブロック積み擁壁の正面を構成する正面壁部と、正面壁部の裏側に連設された控え裏壁部とからなる。その為間知ブロックの裏込コンクリート１０ｃｍ１５ｃｍともにブロック控え長４５ｃｍタイプ５０ｃｍタイプに胴込コンクリートを打設するだけで施工が完了する。またカーブ施工時においてブロック両端部が凸と凹の噛み合せ構造になっている為最大開き５ｃｍまでは前面、背面に型枠なしで胴込コンクリートを打設できる為、飛躍的に施工性を向上させることができる。
【考案の効果】
【０００８】  本考案の裏型付大型ブロックは在来工法間知ブロック積で必ず必要であった裏板（抜き型枠）を設置、撤去する必要がないので、煩雑な作業が省略でき施工の工程においても工期短縮に貢献し、また施工中の法勾配の狂い等もほとんどないので、各現場の完成時には出来形の均一化を図ることができる。【０００９】  在来工法間知ブロック積は熟練したブロック工が必要であったが本考案の裏型付大型ブロックは普通作業員のみで施工可能であり、ブロック工の高年齢化対策にも貢献することができる。【００１０】  通常の控板のない大型ブロックをカーブ施工する場合、型枠等でブロック間の隙間を塞ぐ作業が必要であったが、本考案の裏型付大型ブロックは製品両端部が凸と凹の噛み合せ構造になっている為、最大開き５ｃｍまでは型枠を必要とせず、煩雑な型枠作業を省略することができる。【００１１】  在来工法での各種問題点を克服することにより、土木業界の慢性的な人員不足を解決し、施工スピードも向上し、コスト面においても間知ブロック裏コンタイプとの直接工事費比較では、僅差にすることができる。
【図面の簡単な説明】
【００１２】
【図１】請求項１に示す本考案の裏型付大型ブロック斜視図である。
【図２】請求項２に示す本考案の裏型付大型ブロック平面図である。
【図３】請求項３に示す本考案の裏型付大型ブロック断面図である。
【図４】請求項２に示す本考案の裏型付大型ブロックのカーブ施工図である。
【図５】実施例に示す本考案の裏型付大型ブロックの展開図である。
【図６】請求項３に示す本考案の裏型付大型ブロックの追い込み施工図である。
【考案を実施するための形態】
【００１３】  請求項１について図１で示すとおり大型ブロック積み擁壁の正面を構成する正面壁部▲１▼と、正面壁部の裏側に連設された控え裏壁部▲２▼とからなる。裏型付大型ブロックである。控え長さについては４５ｃｍと５０ｃｍに対応したものであり在来工法間知ブロックで言えば、控え３５ｃｍ＋裏込コンクリート１０ｃｍと控え３５ｃｍ＋裏込コンクリート１５ｃｍに対応した製品である。
１ブロックの寸法としては１個当たり０．５ｍ２を標準型としＬ＝１．０ｍ  Ｈ＝０．５ｍとしている。なぜ０．５ｍ２としたかは１個当たりの製品重量を極力軽くしようと考え現場状況によらず、狭小現場でも使用できるようにしたからである。
【００１４】  請求項２について図２の▲３▼▲４▼で示すとおり製品両端部が凸と凹の噛み合せ構造になっていることである。この噛み合せ部分は直線施工時には前面背面共にそのまま噛み合せて施工する。
外カーブ時は図４で示すとおりブロック背面の噛み合せが当たるようにしブロック前面は限界開き５ｃｍまでは開くように施工する。
内カーブ時は図４で示すとおりブロック前面の噛み合せが当たるようにしブロック背面は限界開き５ｃｍまでは開くように施工する。
よってこの噛み合せ部分があることで最大開き５ｃｍまでは前面と背面に型枠なしで施工することができるようになっている。
【００１５】  請求項３について曲線半径Ｒが１０ｍ以下で小さいときは図３の▲５▼▲６▼で示すとおりブロック天端の突起部分とそのブロックの上に乗る上部ブロックの溝部が自由にスライドできるようになっている為ブロックとブロックの隙間を開けずに施工する（追い込み施工）図６が可能である。追い込み施工をした場合は延長１０ｍに一箇所伸縮目地材を設置しなければならないので、そこにブロック最小寸法５０ｃｍ以下の現場打ちを施工することになる。
【実施例】
【００１６】  まず図５に示すとおりプレキャスト専用基礎ブロックＬ＝２．０ｍ▲７▼をトラッククレーン等で設置して次に専用吊金具により裏型付大型ブロック縦半Ｂ型Ｌ＝０．５ｍＨ＝０．５ｍ▲１１▼及び基本Ａ型Ｌ＝１．０ｍＨ＝０．５ｍ▲８▼基本Ａ型水抜Ｌ＝１．０ｍＨ＝０．５ｍ▲９▼を丁張に合わせて決められた法勾配に設置する。その後裏込砕石をよく転圧しながら投入し、１段目完了後胴込コンクリートを打設する。以下２段目以降も同じ工程により築造していく。天端処理については横半Ｃ型Ｌ＝１．０ｍＨ＝０．２５ｍ▲１３▼と１／４型Ｄを設置できれば前型枠が必要ないので施工が楽であるが法長がブロック割りと合わない場合は天端コンクリートを打設する。
ブロック種類はＡ型、Ｂ型、Ｃ型、Ｄ型と細かい配慮をしながら極力現場打ちをしなくてすむようにし、また熟練工でなくても、決められた手順を守れば誰が施工しても同じ完成断面を容易に構築することができる。
【産業上の利用可能性】
【００１７】この考案は、道路用ブロック積や山留用ブロック積等に供する裏込コンクリートを打設する間知ブロックをより施工性を向上させる為に改良した裏型付大型ブロック製品に関するものである。
【符号の説明】
【００１８】▲１▼    正面壁部
▲２▼    控裏壁部
▲３▼    凹噛み合せ部
▲４▼    凸噛み合せ部
▲５▼    突起部
▲６▼    溝部
▲７▼    既製基礎コンクリート
▲８▼    基本型Ａ
▲９▼    基本型Ａ水抜き
▲１０▼  縦半型Ｂ
▲１１▼  左隅型Ｂ
▲１２▼  左隅型Ａ
▲１３▼  横半型Ｃ
▲１４▼  １／４型Ｄ
▲１５▼  １／４型左隅Ｄ
【図１】
0003161765.tif 000003
【図２】
0003161765.tif 000004
【図３】
0003161765.tif 000005
【図４】
0003161765.tif 000006
【図５】
0003161765.tif 000007
【図６】
0003161765.tif 000008
【手続補正書】
【提出日】平成22年4月28日(2010.4.28)
【手続補正１】
【補正対象書類名】実用新案登録請求の範囲
【補正対象項目名】全文
【補正方法】変更
【補正の内容】
【実用新案登録請求の範囲】
【請求項１】
大型ブロック本体は正面を構成する正面壁部と、正面壁部の裏側に連設された控え裏壁部とからなる大型ブロックで、控え長さは４５ｃｍと５０ｃｍであり、且つ、ブロック両端部を噛み合せ構造とし、且つ、ブロック正面壁部の上部突起と下部溝部を設けたことを特徴とする裏型付大型ブロックである。
【請求項２】
大型ブロックの正面壁部及び控え裏壁部の両端部が凸と凹の噛み合せ構造になっており、ブロック凸部とブロック凹部の噛み合せにより擁壁本体を構築し、施工時の線形が直線、曲線に関わらず自在に噛み合うことを考慮して作られたことを特徴とする請求項１記載の裏型付大型ブロックである。
【請求項３】
大型ブロック築造の際のズレ止めとして設けた正面壁上部の２か所の角錐台突起部分とその上に乗るブロック正面壁部のブロック延長方向に作られた下端溝部をレール状にすることで擁壁築造時においてブロック延長方向に自由に移動できる構造にした請求項１記載の裏型付き大型ブロックである。